(57)【要約】【課題】少ない操作回数かつ簡略な操作で、割り当てキーに割り当てられた複数の入力情報から所定の入力情報を選択可能な電子機器を提供する。【解決手段】画像を電子的に表示するとともにタッチ入力が可能な表示入力部以外の領域に設けられ、１つのキーに対して複数の入力情報が割り当て可能な割り当てキーを含む複数のキーと、割り当てキーに対する押圧による第一操作が行われた場合、第一操作が行われたキーの周辺部に対する第二操作に基づいて、割り当てキーに割り当てられた複数の入力情報から所定の入力情報を選択する制御部とを備える。【選択図】図３２
2019159927.tif 000002
【特許請求の範囲】
【請求項１】
画像を電子的に表示するとともにタッチ入力が可能な表示入力部以外の領域に設けられ、１つのキーに対して複数の入力情報が割り当て可能な割り当てキーを含む複数のキーと、
前記割り当てキーに対する押圧による第一操作が行われた場合、前記第一操作が行われたキーの周辺部に対する第二操作に基づいて、前記割り当てキーに割り当てられた複数の入力情報から所定の入力情報を選択する制御部と
を備える電子機器。
【請求項２】
前記第二操作は、前記第一操作から連続するフリック操作である
請求項１に記載の電子機器。
【請求項３】
前記第二操作は、前記第一操作が行われた割り当てキーの周辺部における他のキーの押圧である
請求項１に記載の電子機器。
【請求項４】
表示部をさらに備え、
前記制御部は、前記第一操作が行われた場合に、前記第一操作で押圧された前記割り当てキーに割り当てられた複数の入力情報に係る画像を、前記第二操作に対応する配列で前記表示部に表示する
請求項１から３のいずれか１項に記載の電子機器。
【請求項５】
前記表示部は、タッチ入力可能な入力部を兼ねた表示入力部であり、
前記画像は、入力ボタンを兼ねた画像である
請求項４に記載の電子機器 。
【請求項６】
前記制御部は、選択されている入力情報に係る画像をフォーカス表示する
請求項４または５に記載の電子機器。
【請求項７】
前記制御部は、前記第一操作が行われた後で前記第二操作が行われなかった場合に、所定の入力情報を選択せずに、前記複数の入力情報に係る画像の表示を消去する
請求項４から６のいずれか１項に記載の電子機器。
【請求項８】
前記画像において、前記画像に対応する前記入力情報を識別する情報は、前記割り当てキーに記載された前記画像に対応する前記入力情報を識別する情報よりも大きく表示される
請求項４から７のいずれか１項に記載の電子機器。
【請求項９】
前記制御部を含む本体と、
前記本体と着脱自在に構成され、前記複数のキーを含む拡張キーユニットとを備え、
前記制御部は、前記拡張キーユニットにおける前記割り当てキーの機械的方式に基づいて、前記第二操作の態様を設定する
請求項１から８のいずれか１項に記載の電子機器。
【請求項１０】
前記割り当てキーに割り当てる入力情報は、飲食店において注文可能なメニューに関するメニュー情報である
請求項１から９のいずれか１項に記載の電子機器。
【発明の詳細な説明】
【技術分野】
【０００１】
本発明は、電子機器に関する。
【背景技術】
【０００２】
近年、レストラン、居酒屋、カラオケ店など飲食物を提供する店舗では、スタッフが客から受けた注文をハンディターミナルと称される注文端末装置に入力し、入力された注文を注文端末装置から注文管理装置に送信する注文管理システムが提案されている（例えば特許文献１および２）。注文端末装置では、一般的に本体にタッチパネルが用意され、さらに必要に応じて、押圧操作によってメニュー等が入力できる複数の割り当てキーを備えた蓋体が本体に装着可能に構成されている。この割り当てキーは、１つのキーに複数のメニューが設定可能であり、キー操作で入力できるメニューの数を増やすのに有効である。
【０００３】
飲食店では、少ないタッチ数で、かつ、多くのメニューが入力できることが要望されるため、蓋体側の割り当てキーは必須の要件になっている。通常、蓋体側の割り当てキーは、横に４〜５列で、縦には１０〜１２段程度の数が設定されている。店舗のスタッフは、客からの注文を聞いて、オーダーに応じたメニュー名のキーを押して、注文メニューを登録する。
【先行技術文献】
【特許文献】
【０００４】
【特許文献１】特許第３９９６６９０号公報
【特許文献２】特開２０１７−１６３１９０号公報
【発明の概要】
【発明が解決しようとする課題】
【０００５】
特許文献１に記載の注文端末装置では、蓋体側の割り当てキーが押圧操作されると、割り当てキーに設定された複数のメニューのキーが本体側のタッチパネルに表示され、タッチパネルにおいて、所望のメニューを選択する。
【０００６】
また、特許文献２に記載の注文端末装置では、本体側のファンクションキー（特許文献２におけるシフトキー）を押圧操作してモードを決定した後で、蓋体側の割り当てキーを押圧操作することによって、所望のメニューを選択する。
【０００７】
すなわち、特許文献１および２に記載の注文端末装置では、スタッフは、蓋体側の割り当てキーと本体側のキーの両方をタッチしなければならないため、メニューの入力操作が煩雑になる問題がある。
【０００８】
また、割り当てキーについて、１回押すと１番目のメニュー、連続して同じキーを押すと２番目のメニューというように、押した回数でサイクリックに切り替える方法も提案されている。しかしながら、この方式では、タッチ回数が増えてしまうという問題がある。また、誤って余計にキーを押してしまったような場合には、元に戻るためにさらにキーを押して初めから繰り替えさなければならず、タッチ回数がさらに多くなるという問題がある。
【０００９】
このような問題は、注文端末装置に限らず起こり得る。例えば、多くの情報から入力したい情報を選択して入力させる機能を搭載した電子機器や、入力キー等の入力部の数が少ない電子機器等で同様な問題が起こり得る。
【００１０】
本発明は上記事情に鑑みなされたものであり、少ない操作回数かつ簡略な操作で、割り当てキーに割り当てられた複数の入力情報から所定の入力情報を選択可能な電子機器を提供することを目的とする。
【課題を解決するための手段】
【００１１】
本発明の電子機器は、画像を電子的に表示するとともにタッチ入力が可能な表示入力部以外の領域に設けられ、１つのキーに対して複数の入力情報が割り当て可能な割り当てキーを含む複数のキーと、割り当てキーに対する押圧による第一操作が行われた場合、第一操作が行われたキーの周辺部に対する第二操作に基づいて、割り当てキーに割り当てられた複数の入力情報から所定の入力情報を選択する制御部とを備える。
【００１２】
ここで、「画像を電子的に表示するとともにタッチ入力が可能な表示入力部以外の領域に設けられ、１つのキーに対して複数の入力情報が割り当て可能な割り当てキーを含む複数のキーと、」の記載については、複数のキーが表示入力部（例えば、タッチパネル）ではない領域に設けられていることを示したものであり、表示入力部を構成要件に含むことを示したものではない。すなわち、本発明の電子機器は、表示入力部を必ずしも備えている必要はなく、表示入力部を備えていない態様も含むものである。
【００１３】
本発明の電子機器において、第二操作は、第一操作から連続するフリック操作としてもよいし、第一操作が行われた割り当てキーの周辺部における他のキーの押圧としてもよい。
【００１４】
また、表示部をさらに備え、制御部は、第一操作が行われた場合に、第一操作で押圧された割り当てキーに割り当てられた複数の入力情報に係る画像を、第二操作に対応する配列で表示部に表示することが好ましい。
【００１５】
ここで、表示部は、タッチ入力可能な入力部を兼ねた表示入力部であり、画像は、入力ボタンを兼ねた画像であることが好ましい。
【００１６】
また、制御部は、選択されている入力情報に係る画像をフォーカス表示することが好ましい。
【００１７】
また、制御部は、第一操作が行われた後で第二操作が行われなかった場合に、所定の入力情報を選択せずに、複数の入力情報に係る画像の表示を消去することが好ましい。
【００１８】
また、画像において、画像に対応する入力情報を識別する情報は、割り当てキーに記載された画像に対応する入力情報を識別する情報よりも大きく表示されることが好ましい。
【００１９】
また、制御部を含む本体と、本体と着脱自在に構成され、複数のキーを含む拡張キーユニットとを備え、制御部は、拡張キーユニットにおける割り当てキーの機械的方式に基づいて、第二操作の態様を設定することが好ましい。
【００２０】
また、割り当てキーに割り当てる入力情報は、飲食店において注文可能なメニューに関するメニュー情報としてもよい。
【発明の効果】
【００２１】
本発明によれば、画像を電子的に表示するとともにタッチ入力が可能な表示入力部以外の領域に設けられ、１つのキーに対して複数の入力情報が割り当て可能な割り当てキーを含む複数のキーと、割り当てキーに対する押圧による第一操作が行われた場合、第一操作が行われたキーの周辺部に対する第二操作に基づいて、割り当てキーに割り当てられた複数の入力情報から所定の入力情報を選択する制御部とを設けることで、使用者に対して、少ない操作回数で、かつ複数のキー部分の操作のみの簡略な操作で、割り当てキーに割り当てられた複数の入力情報から所定の入力情報を選択させることができる。
【図面の簡単な説明】
【００２２】
【図１】本発明の一実施形態に係る注文管理システムの概略構成図
【図２】本発明の一実施形態に係る注文端末装置の外観構成を示す図
【図３】本発明の一実施形態に係る注文端末装置の蓋体が開いた状態を示す図
【図４】本発明の一実施形態に係る注文端末装置の蓋体を外した状態を示す図
【図５】本発明の一実施形態に係る注文端末装置の概略ブロック図
【図６】本発明の一実施形態に係る注文端末装置における割り当てキーの説明図
【図７】本発明の一実施形態に係る注文端末装置におけるメニュー管理テーブルを示す図
【図８】本発明の一実施形態に係る注文端末装置における拡張キー管理テーブルを示す図
【図９】本発明の一実施形態に係る注文端末装置におけるフリック操作の説明図（１）
【図１０】本発明の一実施形態に係る注文端末装置におけるフリック操作の説明図（２）
【図１１】本発明の一実施形態に係る注文端末装置におけるダブルアクション操作の説明図（１）
【図１２】本発明の一実施形態に係る注文端末装置におけるダブルアクション操作の説明図（２）
【図１３】本発明の一実施形態に係る注文端末装置におけるダブルアクション操作モード時の選択キー配列の説明図
【図１４】本発明の一実施形態に係る注文端末装置におけるダブルアクション操作モード時の選択キー配列の説明図
【図１５】本発明の一実施形態に係る注文端末装置におけるダブルアクション操作モード時の選択キー配列の説明図
【図１６】本発明の一実施形態に係る注文端末装置におけるダブルアクション操作モード時の選択キー配列の説明図
【図１７】本発明の一実施形態に係る注文端末装置におけるダブルアクション操作モード時の選択キー配列の説明図
【図１８】本発明の一実施形態に係る注文端末装置におけるダブルアクション操作モード時の選択キー配列の説明図
【図１９】本発明の一実施形態に係る注文端末装置におけるダブルアクション操作モード時の選択キー配列の説明図
【図２０】本発明の一実施形態に係る注文端末装置におけるダブルアクション操作モード時の選択キー配列の説明図
【図２１】本発明の一実施形態に係る注文端末装置におけるダブルアクション操作モード時の選択キー配列の説明図
【図２２】本発明の一実施形態に係る注文端末装置におけるダブルアクション操作モード時の選択キー配列の説明図
【図２３】本発明の一実施形態に係る注文端末装置におけるダブルアクション操作モード時の選択キー配列の説明図
【図２４】本発明の一実施形態に係る注文端末装置におけるダブルアクション操作モード時の選択キー配列の説明図
【図２５】本発明の一実施形態に係る注文端末装置におけるダブルアクション操作モード時の選択キー配列の説明図
【図２６】本発明の一実施形態に係る注文端末装置におけるダブルアクション操作モード時の選択キー配列の説明図
【図２７】本発明の一実施形態に係る注文端末装置におけるダブルアクション操作モード時の選択キー配列の説明図
【図２８】本発明の一実施形態に係る注文端末装置におけるダブルアクション操作モード時の選択キー配列の説明図
【図２９】本発明の一実施形態に係る注文端末装置におけるダブルアクション操作モード時の選択キー配列の説明図
【図３０】本発明の一実施形態に係る注文端末装置におけるダブルアクション操作モード時の選択キー配列の説明図
【図３１】本発明の一実施形態に係る注文端末装置における電源起動時の処理を示すフローチャート
【図３２】本発明の一実施形態に係る注文端末装置におけるフリック操作モード時の処理を示すフローチャート
【図３３】本発明の一実施形態に係る注文端末装置におけるダブルアクション操作モード時の処理を示すフローチャート
【発明を実施するための形態】
【００２３】
以下、本発明の実施の形態について図面を参照しながら説明する。本実施形態では、電子機器を含むシステムの一例として、注文管理システムの例を用いて説明する。図１は、電子機器としての注文端末装置を含むシステムの一例であり、本実施形態に係る注文管理システム１の概略構成図である。図１に示すように、注文管理システム１は、注文端末装置１０−ｎ（ｎは１以上の整数）、無線中継装置２０−１〜２０−ｍ（ｍは１以上の整数）、注文管理装置４０、および伝票出力装置５０−ｏ（ｏは１以上の整数）を備えている。無線中継装置２０と注文管理装置４０とは、ネットワーク３０を介して接続されている。ここで、ネットワーク３０は、ＬＡＮ（Ｌｏｃａｌ  Ａｒｅａ  Ｎｅｔｗｏｒｋ）等の有線ネットワークである。なお、ネットワーク３０は、無線ネットワークであってもよい。
【００２４】
以下の説明において、注文端末装置１０−ｎを特定しない場合、注文端末装置１０という。無線中継装置２０−１〜２０−ｍを特定しない場合、無線中継装置２０という。伝票出力装置５０−ｏを特定しない場合、伝票出力装置５０という。
【００２５】
注文端末装置１０は、無線中継装置２０およびネットワーク３０を介して注文管理装置４０と通信を行う。注文端末装置１０は、注文管理システム１を使用する店舗のスタッフにより、各種の入力キーによって入力または選択された情報を検出し、検出した情報を無線中継装置２０およびネットワーク３０を介して注文管理装置４０へ送信する。注文端末装置１０が送信する情報は、客の人数や卓の情報、および、注文された商品番号、商品名、その数量等の情報である。無線中継装置２０は、注文端末装置１０が送信した情報を受信し、受信した情報をネットワーク３０を介して注文管理装置４０に送信する。また、無線中継装置２０は、ネットワーク３０を介して注文管理装置４０が送信した調理指示伝票情報や、会計伝票情報を受信し、受信した伝票情報を伝票出力装置５０に送信する。
【００２６】
注文管理装置４０は、無線中継装置２０およびネットワーク３０を介して、注文端末装置１０からの情報を受信する。注文管理装置４０は、受信した情報を自装置内に記憶させる。
【００２７】
伝票出力装置５０は、注文管理装置４０から受信した情報に応じて、調理を行うための調理指示伝票や、お客が支払いを行うための会計伝票を発行する。伝票出力装置５０は、例えばプリンタである。
【００２８】
図２は本発明の一実施形態に係る注文端末装置（電子機器）１０の外観構成を示す図、図３は上記注文端末装置１０の蓋体が開いた状態を示す図、図４は上記注文端末装置１０の蓋体を外した状態を示す図、図５は上記注文端末装置１０の概略ブロック図である。
【００２９】
図２および３に示すように、注文端末装置１０は、開閉自在の蓋体１２１により、本体１２０を覆う構成となっている。蓋体１２１は、内面に複数のキーを備えた拡張キー入力部１２２を備える。レストランや居酒屋でスタッフが携帯する場合には、図２に示すように、蓋体１２１は閉じられる。スタッフが客の注文を受ける際には、図３に示すように、蓋体１２１が開かれる。
【００３０】
蓋体１２１は、ヒンジ部１２１ａが本体１２０に対して着脱自在に構成されており、必要に応じて、図３に示すように、本体１２０に対して蓋体１２１を装着状態としたり、図４に示すように、本体１２０に対して蓋体１２１を非装着状態としたりできる。
【００３１】
図３に示すように、注文端末装置１０の本体１２０には、タッチパネル表示部１０７が設けられる。タッチパネル表示部１０７は、後述の表示部１０５上にタッチパネル入力部１０６を積層配置して構成される。タッチパネル表示部１０７には、各種の文字やアイコン、ボタン等が表示され、スタッフがタッチパネル表示部１０７をタッチすることで、各種の入力が行える。蓋体１２１側の拡張キー入力部１２２には、複数の割り当てキーＫ１，Ｋ２，Ｋ３・・が、縦に１３行、横に４列で、２次元状に配列されている。各割り当てキーには、提供できるメニューが割り当てられている。
【００３２】
図５に示すように、注文端末装置１０は、制御部としてのＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、不揮発性メモリ１０４、表示部１０５およびタッチパネル入力部１０６から構成されるタッチパネル表示部１０７、ファンクションキー入力部１０８、通信制御部１０９、拡張キー入力部１２２を備えている。
【００３３】
ＣＰＵ１０１は、ＲＯＭ１０２が記憶する制御プログラムと、ＲＡＭ１０３及び不揮発性メモリ１０４が記憶する各種情報を読み出し、読み出した制御プログラムと各種情報とに基づいて各部の制御を行う。また、ＣＰＵ１０１は、必要な情報をＲＡＭ１０３及び不揮発性メモリ１０４に記憶させる。ＣＰＵ１０１は、バスを介して注文端末装置１０が備える各部と互いにデータの入出力が可能な状態で接続している。
【００３４】
ＲＯＭ１０２は、ＣＰＵ１０１が用いる制御プログラムを記憶する記憶領域である。ＲＡＭ１０３は、ＣＰＵ１０１が用いる情報を記憶する一時記憶領域である。不揮発性メモリ１０４は、ＣＰＵ１０１が用いる情報を記憶する記憶領域である。不揮発性メモリ１０４としては、フラッシュメモリ等が用いられる。
【００３５】
表示部１０５は、ＣＰＵ１０１の制御に応じて各種情報を表示する。表示部１０５は、例えば液晶ディスプレイ、有機ＥＬ（Ｅｌｅｃｔｒｏｌｕｍｉｎｅｓｃｅｎｃｅ）ディスプレイである。
【００３６】
タッチパネル入力部１０６は、表示部１０５上に積層配置されている。タッチパネル入力部１０６は、スタッフが押圧した座標位置や動きを検出して、各種の入力を行う。また、タッチパネル入力部１０６は、押圧の圧力、もしくは、静電容量の変化を検出して、キーの入力を検出することができる。
【００３７】
ファンクションキー入力部１０８は、本体１２０が備えるファンクションキーのうち、操作されたファンクションキーを検出し、検出したファンクションキーを示す情報をＣＰＵ１０１に出力する。
【００３８】
通信制御部１０９は、ＣＰＵ１０１から出力された入力情報を無線中継装置２０に送信する。また、通信制御部１０９は、無線中継装置２０から受信した信号をＣＰＵ１０１に出力する。
【００３９】
拡張キー入力部１２２は、操作された割り当てキーを検出し、検出した割り当てキーを示す情報をＣＰＵ１０１に出力する。
【００４０】
図６は、蓋体１２１の拡張キー入力部１２２を示すものである。図６に示すように、拡張キー入力部１２２には、複数の割り当てキーＫ１，Ｋ２，Ｋ３・・が配置されている。各割り当てキーには、入力情報としてメニューが割り当てられている。本実施形態では、１つの割り当てキーに対して、最大４つまでの複数のメニューを割り当てることができる。
【００４１】
割り当てキーに割り当てられているメニューの管理は、図７に一例を示すメニュー管理テーブルと、図８に一例を示す拡張キー管理テーブルに基づいて行われる。図７に示すように、メニュー管理テーブルにおいては、メニューコード、メニュー名称、単価、伝票印字名、割り当てキー表示名、および、その他の情報が関連付けて記録される。また、図８に示すように、拡張キー管理テーブルにおいては、キーコード、１ｓｔ割り当てメニューコード、２ｎｄ割り当てメニューコード、３ｒｄ割り当てメニューコード、および、４ｔｈ割り当てメニューコードが関連付けて記録される。この２つのテーブルを参照することで、ＣＰＵ１０１は、各割り当てキーに割り当てられているメニュー内容を把握できる。なお、メニュー管理テーブルおよび拡張キー管理テーブルは、注文端末装置１０の電源起動時に、注文管理装置４０からダウンロードされてＲＡＭ１０３に格納される。
【００４２】
同一の割り当てキーに割り当てられた複数のメニューの選択については、割り当てキーに対する押圧による第一操作が行われた場合に、第一操作が行われたキーの周辺部に対する第二操作に基づいて行われる。具体的には、以下に説明するフリック操作もしくはダブルアクション操作により、選択することができる。
【００４３】
まず、フリック操作によりメニューを選択する態様（フリック操作モード）について説明する。この場合には、蓋体１２１の拡張キー入力部１２２の方式が、例えば静電容量方式等のフリック操作に対応した方式である必要がある。
【００４４】
ここでは、一例として、図９に示すように、割り当てキーＫ２８が押圧された場合について説明する。第一操作として割り当てキーＫ２８が押圧されると、タッチパネル表示部１０７には、第一操作で押圧された割り当てキーＫ２８に割り当てられた複数のメニューに係るガイド画像１５０が、第二操作であるフリック操作に対応する配列で表示される。
【００４５】
ガイド画像１５０は、中心表示枠１５５の左側に隣接して表示枠１５１、上側に隣接して表示枠１５２、右側に隣接して表示枠１５３、下側に隣接して表示枠１５４を有し、中心表示枠１５５の左側に隣接する表示枠１５１から、中心表示枠１５５を中心として右回りに順に、１ｓｔ割り当てメニュー、２ｎｄ割り当てメニュー、３ｒｄ割り当てメニュー、および、４ｔｈ割り当てメニューが表示される。
【００４６】
割り当てキーＫ２８には、図６に示すように、１行目に「日替わりＡ」、２行目に「日替わりＢ」、３行目に「日替わりＣ」、４行目に「日替わりＤ」のメニューが設定されている。そのため、ガイド画像１５０は、中心表示枠１５５の左側に隣接する表示枠１５１に「日替わりＡ」、上側に隣接する表示枠１５２に「日替わりＢ」、右側に隣接する表示枠１５３に「日替わりＣ」、下側に隣接する表示枠１５４に「日替わりＤ」と表示される。
【００４７】
なお、このときの表示枠１５１から表示枠１５４に表示するメニュー名は、サイズの都合上で字数制限のある割り当てキーの記載と同じでもよいし、メニュー管理テーブルに登録されている正式名称に変更してもよい。
【００４８】
ここで、蓋体１２１側の拡張キー入力部１２２には多数の割り当てキーを配置しているため、１つの割り当てキーのサイズは小さくなる。サイズが小さい割り当てキーの中に４行のメニューを記載すると、文字のサイズが小さくなって視認性が低下するという問題がある。
【００４９】
そのため、本実施形態の注文端末装置１０のように、割り当てキーが押圧された際に、割り当てキーに割り当てられた複数のメニューに係るガイド画像１５０をタッチパネル表示部１０７に拡大表示することで、割り当てキーに記載されている文字サイズよりもメニュー内容を大きく表示することができるため、入力情報の視認性を向上させることができる。なお、ガイド画像１５０の表示サイズは、割り当てキーのサイズよりも大きければ、どのようなサイズとしてもよい。
【００５０】
また、特に高齢者では小さい文字が見にくくなる傾向にあるので、ガイド画像１５０の表示サイズは、スタッフ（使用者）に任意のサイズを設定させてもよく、このような態様とすることで、スタッフ（使用者）の視力に合わせて視認性が高い表示とすることができる。
【００５１】
パネル表示部１０７に表示されているガイド画像１５０では、選択されているメニューの表示枠がフォーカス表示される。第一操作として割り当てキーＫ２８が押圧された段階では、まだ何もメニューが選択されていないため、図９に示すように、中心表示枠１５５がフォーカス表示される。
【００５２】
なお、図９では、フォーカス表示の例として、文字の背景色を変更するとともに文字を強調表示した例を示しているが、フォーカスが当たっていることが分かる表示であれば、例えば文字の色や太さを変更したり、各行の画像の枠を強調表示したり、背景色と文字色を反転したりする等、どのような態様としてもよい。
【００５３】
ここで、第二操作であるフリック操作が行われずに、割り当てキーＫ２８の押圧が解除された場合には、メニューを選択せずに、ガイド画像１５０の表示を消去する。なお、割り当てキーＫ２８が押圧された状態で指が移動され、再度割り当てキーＫ２８の最初の押圧位置に指が戻された状態で割り当てキーＫ２８の押圧が解除された場合も、フリック操作が行われていないものとする。このような機能を有するため、中心表示枠１５５にはクリアの内容を示す「Ｃ」の文字が表示されている。
【００５４】
このように、メニューを選択せずに、ガイド画像１５０の表示を消去できるようにすることで、割り当てキーＫ２８が誤って押圧された場合に、割り当てキーＫ２８の押圧を無効にできるため、誤入力を防ぐことができる。
【００５５】
図１０に示すように、第二操作としてフリック操作が行われると、中心表示枠１５５を起点としてフリック操作された方向の表示枠に表示されているメニューが選択される。このとき、指が離れるまでは仮の選択候補として、指が移動した方向のメニューの表示枠がフォーカス表示され、指が離された段階で選択が確定する。図１０では、一例として、割り当てキーＫ２８を起点として上方に指が移動した状態を示している。
【００５６】
次に、ダブルアクション操作によりメニューを選択する態様（ダブルアクション操作モード）について説明する。この場合には、蓋体１２１の拡張キー入力部１２２の方式は、静電容量方式等のフリック操作に対応した方式である必要はなく、感圧方式とする等どのような方式としてもよい。
【００５７】
ここでは、一例として、図１１に示すように、割り当てキーＫ２７が押圧された場合について説明する。第一操作として割り当てキーＫ２７が押圧されると、タッチパネル表示部１０７には、第一操作で押圧された割り当てキーＫ２７に割り当てられた複数のメニューに係るガイド画像１６０が、第二操作であるダブルアクション操作に対応する配列で表示される。
【００５８】
ガイド画像１６０は、中心表示枠１６５の左側に隣接して表示枠１６１、上側に隣接して表示枠１６２、右側に隣接して表示枠１６３、下側に隣接して表示枠１６４を有し、中心表示枠１６５の左側に隣接する表示枠１６１から、中心表示枠１６５を中心として右回りに順に、１ｓｔ割り当てメニュー、２ｎｄ割り当てメニュー、３ｒｄ割り当てメニュー、および、４ｔｈ割り当てメニューが表示される。
【００５９】
割り当てキーＫ２７には、図６に示すように、１行目に「トースト」、２行目に「ロールパン」、３行目に「クロワッサン」、４行目に「ツナサンド」のメニューが設定されている。そのため、ガイド画像１６０は、中心表示枠１６５の左側に隣接する表示枠１６１に「トースト」、上側に隣接する表示枠１６２に「ロールパン」、右側に隣接する表示枠１６３に「クロワッサン」、下側に隣接する表示枠１６４に「ツナサンド」と表示される。
【００６０】
パネル表示部１０７に表示されているガイド画像１６０では、選択されているメニューの表示枠がフォーカス表示される。第一操作として割り当てキーＫ２７が押圧された段階では、まだ何もメニューが選択されていないため、図１１に示すように、中心表示枠１６５がフォーカス表示される。
【００６１】
なお、このときの表示の仕方については、上記フリック操作における説明と同様に、適宜変更することができる。
【００６２】
ここで、第二操作であるダブルアクション操作が行われずに、所定時間が経過した場合には、メニューを選択せずに、ガイド画像１６０の表示を消去する。このような機能を有するため、中心表示枠１６５にはクリアの内容を示す「Ｃ」の文字が表示されている。
【００６３】
第二操作であるダブルアクション操作について詳細に説明する。ガイド画像１６０では、中心表示枠１６５を中心として、中心表示枠１６５の左側に隣接して表示枠（トースト）１６１、上側に隣接して表示枠（ロールパン）１６２、右側に隣接して表示枠（クロワッサン）１６３、下側に隣接して表示枠（ツナサンド）１６４が表示されている。
【００６４】
第一操作として押圧された割り当てキーＫ２７を中心として、上下左右に隣接した割り当てキーのいずれかを押圧することで、ガイド画像１６０において中心表示枠１６５から同じ方向に隣接する表示枠に表示されているメニューが選択される。
【００６５】
図１２では、一例として、割り当てキーＫ２７の上側に隣接する割り当てキーＫ２３を押圧して、中心表示枠１６５の上側に隣接する表示枠１６２に表示されている「ロールパン」を選択した状態を示している。
【００６６】
なお、割り当てキーＫ２７については、割り当てキーＫ２７を中心に上下左右の全ての方向に隣接する割り当てキーが存在するため、上記の説明の通りガイド画像１６０を表示して、第二操作であるダブルアクション操作により、メニューの選択を行うことができる。しかしながら、拡張キー入力部１２２の中には、上下左右の全ての方向に隣接する割り当てキーが存在しない割り当てキーがあり、このような割り当てキーについては、ダブルアクション操作時のキー配列およびガイド表示を変更する必要がある。
【００６７】
ここで、拡張キー入力部１２２の割り当てキーの場所毎の、ダブルアクション操作時のキー配列およびガイド表示の仕方について、以下に詳細に説明する。図１３から図３０はダブルアクション操作モード時の選択キー配列の説明図である。
【００６８】
図１３においてグレーで示すように、拡張キー入力部１２２の２次元状に配列されている複数の割り当てキーのうち、上記の割り当てキーＫ２７と同様に、外周に隣接しない割り当てキーについては、どの割り当てキーが押圧されても、押圧された割り当てキーを中心に上下左右の全ての方向に隣接する割り当てキーが存在する。
【００６９】
そのため、図１４に示すように、中心表示枠（枠中Ｃ表示）を中心に上下左右の全ての方向に隣接する表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００７０】
図１５においてグレーで示すように、拡張キー入力部１２２の２次元状に配列されている複数の割り当てキーのうち、一番上の行の左右の端を除いた割り当てキーについては、どの割り当てキーが押圧されても、押圧された割り当てキーを中心に上方向を除く下方向および左右方向に隣接する割り当てキーが存在する。
【００７１】
そのため、図１６に示すように、中心表示枠（枠中Ｃ表示）を中心に、下方向、左右方向、および、右下方向に隣接する表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００７２】
図１７においてグレーで示すように、拡張キー入力部１２２の２次元状に配列されている複数の割り当てキーのうち、一番下の行の左右の端を除いた割り当てキーについては、どの割り当てキーが押圧されても、押圧された割り当てキーを中心に下方向を除く上方向および左右方向に隣接する割り当てキーが存在する。
【００７３】
そのため、図１８に示すように、中心表示枠（枠中Ｃ表示）を中心に、上方向、左右方向、および、左上方向に隣接する表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００７４】
図１９においてグレーで示すように、拡張キー入力部１２２の２次元状に配列されている複数の割り当てキーのうち、一番左の列の上下の端を除いた割り当てキーについては、どの割り当てキーが押圧されても、押圧された割り当てキーを中心に左方向を除く上下方向および右方向に隣接する割り当てキーが存在する。
【００７５】
そのため、図２０に示すように、中心表示枠（枠中Ｃ表示）を中心に、上下方向、右方向、および、右下方向に隣接する表示枠が表示され、中心表示枠の上側に隣接する表示枠から、中心表示枠を中心として右回りに順に、１ｓｔの内容、２ｎｄの内容、３ｒｄの内容、および、４ｔｈの内容が表示される。
【００７６】
図２１においてグレーで示すように、拡張キー入力部１２２の２次元状に配列されている複数の割り当てキーのうち、一番右の列の上下の端を除いた割り当てキーについては、どの割り当てキーが押圧されても、押圧された割り当てキーを中心に右方向を除く上下方向および左方向に隣接する割り当てキーが存在する。
【００７７】
そのため、図２２に示すように、中心表示枠（枠中Ｃ表示）を中心に、上下方向、左方向、および、左上方向に隣接する表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００７８】
図２３においてグレーで示すように、拡張キー入力部１２２の２次元状に配列されている複数の割り当てキーのうち、左下の割り当てキーについては、押圧された割り当てキーを中心に下方向および左方向を除く上方向および右方向に隣接する割り当てキーが存在する。
【００７９】
そのため、図２４に示すように、中心表示枠（枠中Ｃ表示）を中心に、上方向、右方向、および、右上方向に隣接する表示枠と、右上方向に中心表示枠から離れた表示枠が表示され、中心表示枠の上側に隣接する表示枠から、中心表示枠を中心として右回りに順に、１ｓｔの内容、２ｎｄの内容、３ｒｄの内容、および、４ｔｈの内容が表示される。
【００８０】
図２５においてグレーで示すように、拡張キー入力部１２２の２次元状に配列されている複数の割り当てキーのうち、左上の割り当てキーについては、押圧された割り当てキーを中心に上方向および左方向を除く下方向および右方向に隣接する割り当てキーが存在する。
【００８１】
そのため、図２６に示すように、中心表示枠（枠中Ｃ表示）を中心に、下方向、右方向、および、右下方向に隣接する表示枠と、右下方向に中心表示枠から離れた表示枠が表示され、中心表示枠の下側に隣接する表示枠から、中心表示枠を中心として右回りに順に、１ｓｔの内容、２ｎｄの内容、３ｒｄの内容、および、４ｔｈの内容が表示される。
【００８２】
図２７においてグレーで示すように、拡張キー入力部１２２の２次元状に配列されている複数の割り当てキーのうち、右上の割り当てキーについては、押圧された割り当てキーを中心に上方向および右方向を除く下方向および左方向に隣接する割り当てキーが存在する。
【００８３】
そのため、図２８に示すように、中心表示枠（枠中Ｃ表示）を中心に、下方向、左方向、および、左下方向に隣接する表示枠と、左下方向に中心表示枠から離れた表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００８４】
図２９においてグレーで示すように、拡張キー入力部１２２の２次元状に配列されている複数の割り当てキーのうち、右下の割り当てキーについては、押圧された割り当てキーを中心に下方向および右方向を除く上方向および左方向に隣接する割り当てキーが存在する。
【００８５】
そのため、図３０に示すように、中心表示枠（枠中Ｃ表示）を中心に、上方向、左方向、および、左上方向に隣接する表示枠と、左上方向に中心表示枠から離れた表示枠が表示され、中心表示枠の左側に隣接する表示枠から、中心表示枠を中心として右回りに順に、１ｓｔの内容、２ｎｄの内容、３ｒｄの内容、および、４ｔｈの内容が表示される。
【００８６】
なお、上記の例では、中心表示枠のいずれかの方向に隣接する所定の表示枠を起点として、中心表示枠を中心として右回りに順に、１ｓｔの内容、２ｎｄの内容、３ｒｄの内容、および、４ｔｈの内容を表示しているが、中心表示枠を中心として左回りに順に、１ｓｔの内容、２ｎｄの内容、３ｒｄの内容、および、４ｔｈの内容を表示してもよい。
【００８７】
また、中心表示枠を中心として周囲（複数方向に隣接）に複数の表示枠を表示する態様に限らず、例えば、横一列もしくは縦一列に複数の表示枠を表示する等、どのような態様としてもよい。
【００８８】
また、注文端末装置１０は、本体１２０に対して蓋体１２１が着脱自在に構成されているため、蓋体１２１の拡張キー入力部１２２の機械的方式に基づいて、例えば静電容量方式の拡張キー入力部１２２の場合はフリック操作モード、感圧方式の拡張キー入力部１２２の場合はダブルアクション操作モードとする等、認識した機械的方式に対応する操作モードに、自動的に切り替えるようにしてもよい。なお、拡張キー入力部１２２の方式が対応する範囲で、操作モードをスタッフが任意に選択可能としてもよい。
【００８９】
図３１は、注文端末装置１０における電源起動時の処理を示すフローチャートである。
【００９０】
（ステップＳ１０１）ＣＰＵ１０１は、電源の起動を検出する。その後、ステップＳ１０２の処理に進む。
【００９１】
（ステップＳ１０２）ＣＰＵ１０１は、メニュー管理テーブルおよび拡張キー管理テーブルのダウンロード等、各種初期処理を行う。その後、ステップＳ１０３の処理に進む。
【００９２】
（ステップＳ１０３）ＣＰＵ１０１は、拡張キー種別判定処理を開始する。その後、ステップＳ１０４の処理に進む。
【００９３】
（ステップＳ１０４）ＣＰＵ１０１は、拡張キー種別判定処理の開始後に、先ず、拡張キー（拡張キー入力部１２２を備える蓋体１２１）があるか判定する。拡張キーがあると判定した場合（ステップＳ１０４：Ｙｅｓ）、ＣＰＵ１０１は、ステップＳ１０５の処理に進む。
【００９４】
（ステップＳ１０５）ＣＰＵ１０１は、拡張キーの機械的方式が静電容量方式であるか判定する。拡張キーの機械的方式が静電容量方式であると判定した場合（ステップＳ１０５：Ｙｅｓ）、ＣＰＵ１０１は、ステップＳ１０６の処理に進む。
【００９５】
（ステップＳ１０６）ＣＰＵ１０１は、割り当てキーの操作モードについて、フリック操作モードに設定する。その後、処理を終了する。
【００９６】
一方、ステップＳ１０５において、拡張キーの機械的方式が静電容量方式でないと判定した場合（ステップＳ１０５：Ｎｏ）、ＣＰＵ１０１は、ステップＳ１０７の処理に進む。
【００９７】
（ステップＳ１０７）ＣＰＵ１０１は、割り当てキーの操作モードについて、ダブルアクション操作モードに設定する。その後、処理を終了する。
【００９８】
また、ステップＳ１０４において、拡張キーがないと判定した場合（ステップＳ１０４：Ｎｏ）、ＣＰＵ１０１は、ステップＳ１０８の処理に進む。
【００９９】
（ステップＳ１０８）ＣＰＵ１０１は、拡張キーがない設定、すなわちフリック操作モードおよびダブルアクション操作モードのいずれの操作モードも設定されない設定にする。その後、処理を終了する。
【０１００】
図３２は、注文端末装置１０におけるフリック操作モード時の処理を示すフローチャートである。
【０１０１】
（ステップＳ２０１）ＣＰＵ１０１は、第一操作に対応する割り当てキーの押圧を検出する。その後、ステップＳ２０２の処理に進む。
【０１０２】
（ステップＳ２０２）ＣＰＵ１０１は、タッチされた割り当てキーに設定されてキーコードを取得する。その後、ステップＳ２０３の処理に進む。
【０１０３】
（ステップＳ２０３）ＣＰＵ１０１は、拡張キー管理テーブルを参照し、割り当てキーに設定されている１ｓｔから４ｔｈのメニューコードを取得する。その後、ステップＳ２０４の処理に進む。
【０１０４】
（ステップＳ２０４）ＣＰＵ１０１は、メニュー管理テーブルを参照し、割り当てキーにおけるメニュー表示名を取得する。その後、ステップＳ２０５の処理に進む。
【０１０５】
（ステップＳ２０５）ＣＰＵ１０１は、フリック操作におけるガイド画像をタッチパネル表示部に表示する。その後、ステップＳ２０６の処理に進む。
【０１０６】
（ステップＳ２０６）ＣＰＵ１０１は、第二操作に対応するフリック操作の方向検出処理を開始する。ここで、フリック操作の方向とは、割り当てキーが最初に指で押圧された位置（始点）と押圧が解除された位置（終点）が異なる場合の、始点から終点の方向を意味する。なお、割り当てキーが押圧されてから、押圧が解除されるまでの間も、指の移動に伴ってガイド画像におけるフォーカス表示位置は常に更新され続ける。その後、ステップＳ２０７の処理に進む。
【０１０７】
（ステップＳ２０７）ＣＰＵ１０１は、フリック操作の方向が左であるか判定する。フリック操作の方向が左であると判定した場合（ステップＳ２０７：Ｙｅｓ）、ＣＰＵ１０１は、ステップＳ２０８の処理に進む。
【０１０８】
（ステップＳ２０８）ＣＰＵ１０１は、拡張キー管理テーブルを参照し、１ｓｔ割り当てメニューコードを取得する。その後、ステップＳ２１６の処理に進む。
【０１０９】
一方、ステップＳ２０７において、フリック操作の方向が左でないと判定した場合（ステップＳ２０７：Ｎｏ）、ＣＰＵ１０１は、ステップＳ２０９の処理に進む。
【０１１０】
（ステップＳ２０９）ＣＰＵ１０１は、フリック操作の方向が上であるか判定する。フリック操作の方向が上であると判定した場合（ステップＳ２０９：Ｙｅｓ）、ＣＰＵ１０１は、ステップＳ２１０の処理に進む。
【０１１１】
（ステップＳ２１０）ＣＰＵ１０１は、拡張キー管理テーブルを参照し、２ｎｄ割り当てメニューコードを取得する。その後、ステップＳ２１６の処理に進む。
【０１１２】
一方、ステップＳ２０９において、フリック操作の方向が上でないと判定した場合（ステップＳ２０９：Ｎｏ）、ＣＰＵ１０１は、ステップＳ２１１の処理に進む。
【０１１３】
（ステップＳ２１１）ＣＰＵ１０１は、フリック操作の方向が右であるか判定する。フリック操作の方向が右であると判定した場合（ステップＳ２１１：Ｙｅｓ）、ＣＰＵ１０１は、ステップＳ２１２の処理に進む。
【０１１４】
（ステップＳ２１２）ＣＰＵ１０１は、拡張キー管理テーブルを参照し、３ｒｄ割り当てメニューコードを取得する。その後、ステップＳ２１６の処理に進む。
【０１１５】
一方、ステップＳ２１１において、フリック操作の方向が右でないと判定した場合（ステップＳ２１１：Ｎｏ）、ＣＰＵ１０１は、ステップＳ２１３の処理に進む。
【０１１６】
（ステップＳ２１３）ＣＰＵ１０１は、フリック操作の方向が下であるか判定する。フリック操作の方向が下であると判定した場合（ステップＳ２１３：Ｙｅｓ）、ＣＰＵ１０１は、ステップＳ２１４の処理に進む。
【０１１７】
（ステップＳ２１４）ＣＰＵ１０１は、拡張キー管理テーブルを参照し、４ｔｈ割り当てメニューコードを取得する。その後、ステップＳ２１６の処理に進む。
【０１１８】
一方、ステップＳ２１１において、フリック操作の方向が下でないと判定した場合（ステップＳ２１３：Ｎｏ）、ＣＰＵ１０１は、ステップＳ２１５の処理に進む。
【０１１９】
（ステップＳ２１５）ＣＰＵ１０１は、フリック操作が行われなかったものとして、メニューコード＝なしの情報を入力する。その後、ステップＳ２１６の処理に進む。
【０１２０】
（ステップＳ２１６）ＣＰＵ１０１は、ガイド画像を更新表示し、一定時間後に消去する。その後、ステップＳ２１７の処理に進む。
【０１２１】
（ステップＳ２１７）ＣＰＵ１０１は、ステップＳ２０６からＳ２１５までのステップにおいてメニューの選択に伴って取得したメニューコードの入力処理を行う。その後、ステップＳ２０１の処理に戻る。
【０１２２】
図３３は、注文端末装置１０におけるダブルアクション操作モード時の処理を示すフローチャートである。
【０１２３】
（ステップＳ３０１）ＣＰＵ１０１は、第一操作に対応する割り当てキーの押圧を検出する。その後、ステップＳ３０２の処理に進む。
【０１２４】
（ステップＳ３０２）ＣＰＵ１０１は、押圧された割り当てキーに設定されてキーコードを取得する。その後、ステップＳ３０３の処理に進む。
【０１２５】
（ステップＳ３０３）ＣＰＵ１０１は、拡張キー管理テーブルを参照し、割り当てキーに設定されている１ｓｔから４ｔｈのメニューコードを取得する。その後、ステップＳ３０４の処理に進む。
【０１２６】
（ステップＳ３０４）ＣＰＵ１０１は、メニュー管理テーブルを参照し、割り当てキーにおけるメニュー表示名を取得する。その後、ステップＳ３０５の処理に進む。
【０１２７】
（ステップＳ３０５）ＣＰＵ１０１は、キーコードに基づいて、拡張キー入力部の２次元状に配列されている複数の割り当てキーのうち、どの位置の割り当てキーが押圧されたか分析する。その後、ステップＳ３０６の処理に進む。
【０１２８】
（ステップＳ３０６）ＣＰＵ１０１は、第一操作として押圧された割り当てキーの位置に対応したガイド画像をタッチパネル表示部に表示する。ここで、キーの押圧位置とガイド表示との関係は、図１３から図３０に示した通りである。その後、ステップＳ３０７の処理に進む。
【０１２９】
（ステップＳ３０７）ＣＰＵ１０１は、第二操作に対応する次のキーの押圧を検出する。その後、ステップＳ３０８の処理に進む。
【０１３０】
（ステップＳ３０８）ＣＰＵ１０１は、ステップＳ３０７で押圧されたキーに設定されてキーコードを取得する。その後、ステップＳ３０９の処理に進む。
【０１３１】
（ステップＳ３０９）ＣＰＵ１０１は、ステップＳ３０７で検出されたキーに設定されてキーコードが１ｓｔ設定キーであるか判定する。キーコードが１ｓｔ設定キーであると判定した場合（ステップＳ３０９：Ｙｅｓ）、ＣＰＵ１０１は、ステップＳ３１０の処理に進む。
【０１３２】
（ステップＳ３１０）ＣＰＵ１０１は、拡張キー管理テーブルを参照し、１ｓｔ割り当てメニューコードを取得する。その後、ステップＳ３１８の処理に進む。
【０１３３】
一方、ステップＳ３０９において、キーコードが１ｓｔ設定キーでないと判定した場合（ステップＳ３０９：Ｎｏ）、ＣＰＵ１０１は、ステップＳ３１１の処理に進む。
【０１３４】
（ステップＳ３１１）ＣＰＵ１０１は、ステップＳ３０７で検出されたキーに設定されてキーコードが２ｎｄ設定キーであるか判定する。キーコードが２ｎｄ設定キーであると判定した場合（ステップＳ３１１：Ｙｅｓ）、ＣＰＵ１０１は、ステップＳ３１２の処理に進む。
【０１３５】
（ステップＳ３１２）ＣＰＵ１０１は、拡張キー管理テーブルを参照し、２ｎｄ割り当てメニューコードを取得する。その後、ステップＳ３１８の処理に進む。
【０１３６】
一方、ステップＳ３１１において、キーコードが２ｎｄ設定キーでないと判定した場合（ステップＳ３１１：Ｎｏ）、ＣＰＵ１０１は、ステップＳ３１３の処理に進む。
【０１３７】
（ステップＳ３１３）ＣＰＵ１０１は、ステップＳ３０７で検出されたキーに設定されてキーコードが３ｒｄ設定キーであるか判定する。キーコードが３ｒｄ設定キーであると判定した場合（ステップＳ３１３：Ｙｅｓ）、ＣＰＵ１０１は、ステップＳ３１４の処理に進む。
【０１３８】
（ステップＳ３１４）ＣＰＵ１０１は、拡張キー管理テーブルを参照し、３ｒｄ割り当てメニューコードを取得する。その後、ステップＳ３１８の処理に進む。
【０１３９】
一方、ステップＳ３１３において、キーコードが３ｒｄ設定キーでないと判定した場合（ステップＳ３１３：Ｎｏ）、ＣＰＵ１０１は、ステップＳ３１５の処理に進む。
【０１４０】
（ステップＳ３１５）ＣＰＵ１０１は、ステップＳ３０７で検出されたキーに設定されてキーコードが４ｔｈ設定キーであるか判定する。キーコードが４ｔｈ設定キーであると判定した場合（ステップＳ３１５：Ｙｅｓ）、ＣＰＵ１０１は、ステップＳ３１６の処理に進む。
【０１４１】
（ステップＳ３１６）ＣＰＵ１０１は、拡張キー管理テーブルを参照し、４ｔｈ割り当てメニューコードを取得する。その後、ステップＳ３１８の処理に進む。
【０１４２】
一方、ステップＳ３１５において、キーコードが４ｔｈ設定キーでないと判定した場合（ステップＳ３１６：Ｎｏ）、ＣＰＵ１０１は、ステップＳ３１７の処理に進む。
【０１４３】
（ステップＳ３１７）ＣＰＵ１０１は、第二操作に対応する次のキーの押圧が行われなかったものとして、メニューコード＝なしの情報を入力する。その後、ステップＳ３１８の処理に進む。
【０１４４】
（ステップＳ３１８）ＣＰＵ１０１は、ガイド画像を更新表示し、一定時間後に消去する。その後、ステップＳ３１９の処理に進む。
【０１４５】
（ステップＳ３１９）ＣＰＵ１０１は、ステップＳ３０７からＳ３１７までのステップにおいてメニューの選択に伴って取得したメニューコードの入力処理を行う。その後、ステップＳ３０１の処理に戻る。
【０１４６】
本実施形態によれば、割り当てキーに対する押圧による第一操作が行われた場合、第一操作が行われたキーの周辺部に対する第二操作に基づいて、割り当てキーに割り当てられた複数のメニュー（入力情報）から所定のメニューを選択するように制御することで、割り当てキー（拡張キー入力部１２２）を備える蓋体１２１側の操作だけで入力情報を選択できるようになるため、スタッフ（使用者）に対して、少ない操作回数かつ簡略な操作で、割り当てキーに割り当てられた複数のメニューから所定のメニューを選択させることができる。
【０１４７】
なお、注文管理システム１を構成する注文端末装置１０、無線中継装置２０、注文管理装置４０、および伝票出力装置５０のハードウェアの構成は特に限定されるものではなく、複数のＩＣ（Ｉｎｔｅｇｒａｔｅｄ  Ｃｉｒｃｕｉｔ）、プロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、およびメモリなどを適宜組み合わせることによって実現することができる。
【０１４８】
また、注文管理システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１４９】
また、「コンピュータシステム」は、ＷＷＷシステムを利用している場合であれば、ホームページ提供環境（あるいは表示環境）も含むものとする。
【０１５０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１５１】
以上、本発明の実施形態について図面を参照して詳述してきたが、具体的な構成は上記実施形態に限られるものではなく、この発明の要旨を逸脱しない範囲で設計変更を行った場合でも、上記実施形態と同様の効果を得ることができる。
【０１５２】
例えば、割り当てキーに割り当て可能な入力情報の数は、４つに限らず、例えば２から８つ等、複数であればいくつでもよい。
【０１５３】
また、割り当てキーが押されたときにタッチパネル表示部に表示される画像について、上記実施形態のように入力情報（メニュー）を文字で表示する態様に限らず、イラストや記号等で表示してもよい。
【０１５４】
また、割り当てキーが押され、本体のタッチパネル表示部にメニューの入力ボタンを表示した際に、メニューの入力ボタンをタッチして割り当てキーに割り当てられた複数の入力情報から所定の入力情報を直接選択できるようにしてもよい。
【０１５５】
上記以外にも、この発明の要旨を逸脱しない範囲で、設計変更を行ってもよい。
【符号の説明】
【０１５６】
１     注文管理システム
１０   注文端末装置
２０   無線中継装置
３０   ネットワーク
４０   注文管理装置
５０   伝票出力装置
１０１ ＣＰＵ
１０２ ＲＯＭ
１０３ ＲＡＭ
１０４ 不揮発性メモリ
１０５ 表示部
１０６ タッチパネル入力部
１０７ タッチパネル表示部
１０８ ファンクションキー入力部
１０９ 通信制御部
１２０ 本体
１２０ａ      装着部
１２１ 蓋体
１２１ａ      ヒンジ部
１２２ 拡張キー入力部
１５０ ガイド画像
１５１ 表示枠
１５２ 表示枠
１５３ 表示枠
１５４ 表示枠
１５５ 中心表示枠
１６０ ガイド画像
１６１ 表示枠
１６２ 表示枠
１６３ 表示枠
１６４ 表示枠
１６５ 中心表示枠
Ｋ１，Ｋ２，Ｋ３・・ 割り当てキー
【図１】
2019159927.tif 000003
【図２】
2019159927.tif 000004
【図３】
2019159927.tif 000005
【図４】
2019159927.tif 000006
【図５】
2019159927.tif 000007
【図６】
2019159927.tif 000008
【図７】
2019159927.tif 000009
【図８】
2019159927.tif 000010
【図９】
2019159927.tif 000011
【図１０】
2019159927.tif 000012
【図１１】
2019159927.tif 000013
【図１２】
2019159927.tif 000014
【図１３】
2019159927.tif 000015
【図１４】
2019159927.tif 000016
【図１５】
2019159927.tif 000017
【図１６】
2019159927.tif 000018
【図１７】
2019159927.tif 000019
【図１８】
2019159927.tif 000020
【図１９】
2019159927.tif 000021
【図２０】
2019159927.tif 000022
【図２１】
2019159927.tif 000023
【図２２】
2019159927.tif 000024
【図２３】
2019159927.tif 000025
【図２４】
2019159927.tif 000026
【図２５】
2019159927.tif 000027
【図２６】
2019159927.tif 000028
【図２７】
2019159927.tif 000029
【図２８】
2019159927.tif 000030
【図２９】
2019159927.tif 000031
【図３０】
2019159927.tif 000032
【図３１】
2019159927.tif 000033
【図３２】
2019159927.tif 000034
【図３３】
2019159927.tif 000035